(57)【要約】【課題】多機能化された二重床構造の施工性が低下することを抑制できる建物の二重床構造を提供する。【解決手段】建物の二重床構造では、床スラブ１上に支持脚３によって同床スラブ１との間に空間Ｓを持たせた状態でベースボード２が支持されており、ベースボード２の上側にフローリング５が設けられる。更に、ベースボード２とフローリング５との間には樹脂発泡シート４が設けられる。断熱、防音、及び防湿といった多くの機能を二重床構造に持たせるため、仮に断熱シート、防音材、及び防湿シート等の各機能に対応した部材をそれぞれ組み込もうとすると、それら部材の組み込みに手間がかかる。しかし、上記樹脂発泡シート４は断熱性、防音性、及び防湿性といった多くの機能を有しており、その樹脂発泡シート４をベースボード２とフローリング５との間に設けるだけで、建物の二重床構造に断熱、防音、及び防湿といった多くの機能を持たせることができる。【選択図】図１
2020148033.tif 000002
【特許請求の範囲】
【請求項１】
床スラブ上に支持脚によって同床スラブとの間に空間を持たせた状態でベースボードが支持されており、そのベースボードの上側にフローリングが設けられている建物の二重床構造において、
前記ベースボードと前記フローリングとの間に樹脂発泡シートが設けられていることを特徴とする建物の二重床構造。
【請求項２】
前記樹脂発泡シートは、ポリエチレンによって形成されている請求項１に記載の建物の二重床構造。
【請求項３】
前記ベースボードと前記フローリングとの間に両者を接着する接着部が設けられており、その接着部による前記両者の接着を通じて前記樹脂発泡シートが前記ベースボードと前記フローリングとの間で固定されている請求項１又は２に記載の建物の二重床構造。
【請求項４】
前記樹脂発泡シートは、定められた幅の帯状に形成されており、且つ、前記ベースボードと前記フローリングとの間に、前記樹脂発泡シートの幅方向において互いの間に隙間をもたせた状態で複数設けられており、
前記接着部は、複数の前記樹脂発泡シート同士の隙間に存在する接着剤によって前記ベースボードと前記フローリングとを接着することによって実現されている請求項３に記載の建物の二重床構造。
【請求項５】
前記フローリングは、定められた長さの板材を並べて形成されているものであり、
前記樹脂発泡シートは、前記板材の長手方向と直交する方向に延びており、
前記樹脂発泡シート及び前記隙間のそれぞれの幅は、前記フローリングを形成する複数の前記板材に対しそれぞれ、その板材の長手方向に間隔をおいた複数箇所で前記接着部が接する値となるように設定されている請求項４に記載の建物の二重床構造。
【請求項６】
前記ベースボードと前記フローリングとの間には、床暖房用のヒーターマットが設けられており、
前記樹脂発泡シートは、前記ベースボードと前記ヒーターマットとの間に設けられている請求項１又は２に記載の建物の二重床構造。
【発明の詳細な説明】
【技術分野】
【０００１】
本発明は、建物の二重床構造に関する。
【背景技術】
【０００２】
建物の二重床構造として、床スラブ上に支持脚によって同床スラブとの間に空間を持たせた状態でベースボードを支持し、そのベースボードの上側にフローリングを設けたものが知られている。また、こうした二重床構造においては、断熱、防音、及び防湿といった機能を持たせて多機能化することが望まれており、断熱シート、防音材、及び防湿シート等の組み込みによって上記機能を持たせることが考えられる。ちなみに、特許文献１には、ベースボードとフローリングとの間に制振シートを設け、その制振シートによってフローリングに重量物を落下させたときの衝突音等の重量音の発生を抑制することが記載されている。
【先行技術文献】
【特許文献】
【０００３】
【特許文献１】特開２００５−３２５５９８号公報
【発明の概要】
【発明が解決しようとする課題】
【０００４】
しかし、建物の二重床構造に多くの機能を持たせようとすると、それらの機能を持たせるために組み込むべきシート等が多くなり、多機能化された上記二重床構造の施工性が低下するという問題がある。
【０００５】
本発明の目的は、多機能化された二重床構造の施工性が低下することを抑制できる建物の二重床構造を提供することにある。
【課題を解決するための手段】
【０００６】
以下、上記課題を解決するための手段及びその作用効果について記載する。
上記課題を解決する建物の二重床構造では、床スラブ上に支持脚によって同床スラブとの間に空間を持たせた状態でベースボードが支持されており、そのベースボードの上側にフローリングが設けられる。更に、上記ベースボードと上記フローリングとの間に樹脂発泡シートが設けられる。
【０００７】
この構成によれば、樹脂発泡シートは断熱性、防音性、及び防湿性といった多くの機能を有しており、その樹脂発泡シートをベースボードとフローリングとの間に設けるだけで、建物の二重床構造に断熱、防音、及び防湿といった多くの機能を持たせることができる。従って、多機能化された二重床構造の施工性が低下することを抑制できるようになる。
【０００８】
なお、上記樹脂発泡シートは、ポリエチレンによって形成されているものとすることが考えられる。
ポリエチレン製の樹脂発泡シートは、包装用のシート等として一般的に広く用いられており、比較的安価で入手することが可能なものである。上記構成によれば、こうした比較的安価な樹脂発泡シートが用いられるため、多機能化された二重床構造の施工に伴うコストの上昇を抑制することができる。
【０００９】
上記建物の二重床構造においては、ベースボードとフローリングとの間に両者を接着する接着部が設けられており、その接着部による両者の接着を通じて樹脂発泡シートがベースボードとフローリングとの間で固定されているものとすることが考えられる。
【００１０】
この構成によれば、樹脂発泡シートをベースボードとフローリングとの間でしっかりと固定することができる。
上記建物の二重床構造において、樹脂発泡シートは、定められた幅の帯状に形成されており、且つ、ベースボードとフローリングとの間に、樹脂発泡シートの幅方向において互いの間に隙間をもたせた状態で複数設けられているものとされる。また、上記接着部は、複数の樹脂発泡シート同士の隙間に存在する接着剤によってベースボードとフローリングとを接着することによって実現されている。
【００１１】
この構成によれば、ベースボードとフローリングとの接着面を大きくとりやすくなるため、ベースボードとフローリングとの必要な接着強度を確保しやすくなる。また、複数の樹脂発泡シート同士の隙間も、それら樹脂発泡シートに沿った帯状となるため、上記隙間に対し接着剤を塗布しやすくなる。
【００１２】
なお、上記建物の二重床構造において、上記フローリングは、定められた長さの板材を並べて形成されているものとされる。また、上記樹脂発泡シートは、上記板材の長手方向と直交する方向に延びるものとされる。更に、上記樹脂発泡シート及び上記隙間のそれぞれの幅は、フローリングを形成する複数の上記板材に対しそれぞれ、その板材の長手方向に間隔をおいた複数箇所で上記接着部が接する値となるように設定される。
【００１３】
上記構成によれば、フローリングを形成する複数の板材がそれぞれ、長手方向に間隔をおいた複数箇所で接着部と接するため、それら板材の接着部によるベースボートとの接着によって同板材が剥がれにくくなる。
【００１４】
上記建物の二重床構造において、ベースボードとフローリングとの間には床暖房用のヒーターマットが設けられており、上記樹脂発泡シートはベースボードとヒーターマットとの間に設けられているものとすることが考えられる。
【００１５】
この構成によれば、床暖房用のヒーターマットの熱がベースボード側に逃げることを、ベースボードとヒーターマットとの間の樹脂発泡シートが持つ断熱機能によって抑制することができる。
【図面の簡単な説明】
【００１６】
【図１】建物の二重床構造を示す斜視図。
【図２】同構造におけるベースボードとフローリングとの間の樹脂発泡シートを示す拡大断面図。
【図３】ベースボード上に樹脂発泡シートを敷設する際に用いられる施工装置を示す平面図。
【図４】ベースボード上における樹脂発泡シートの敷設態様を示す平面図。
【図５】（ａ）は上記二重床構造を示す断面図、（ｂ）は樹脂発泡シート及びその周辺を示す拡大断面図。
【図６】二重床構造の他の例を示す断面図。
【発明を実施するための形態】
【００１７】
以下、建物の二重床構造の一実施形態について、図１〜図４を参照して説明する。
図１に示すように、建物においては、コンクリート等によって形成された床スラブ１上に、その床スラブ１との間に空間Ｓを持たせた状態で、複数のベースボード２が複数の支持脚３によって支持されている。
【００１８】
上記ベースボード２としては、例えば木材の小片を接着剤と混合して熱圧成形した木質ボードの一種であるパーティクルボードを採用することが考えられる。一方、支持脚３は、各ベースボード２の少なくとも四隅にそれぞれ対応して位置している。更に、支持脚３は、この例ではベースボード２の四隅だけでなく、同ベースボード２の縁部であって隅の間の部分等にも対応して位置している。そして、支持脚３の上端にはベースボード２を下側から支持する平板部３ａが形成されている。
【００１９】
各ベースボード２の上側には、樹脂発泡シート４が設けられている。ちなみに、樹脂発泡シート４を形成するための樹脂として、この例ではポリエチレンが用いられている。また、樹脂発泡シート４の上側には、定められた長さの板材５ａを並べることによって形成されるフローリング５が設けられている。従って、このフローリング５と上記ベースボード２との間に上記樹脂発泡シート４が設けられている。
【００２０】
図２は、ベースボード２とフローリング５との間の樹脂発泡シート４の断面を拡大して示している。図２から分かるように、樹脂発泡シート４の内部には多数の気泡４ａが形成されており、それら気泡４ａによって樹脂発泡シート４には断熱性、防音性、及び防湿性といった多くの機能が持たされている。
【００２１】
なお、樹脂発泡シート４の厚さとしては、例えば１〜５ｍｍとすることが考えられるが、１．５〜４ｍｍとすることがより好ましく、２〜３ｍｍとすることが最も好ましい。また、樹脂発泡シート４における気泡４ａの割合としては、例えば同樹脂発泡シート４の単位体積当たり２０〜５０％とすることが考えられるが、３５〜４５％とすることがより好ましく、３０〜４０％とすることが最も好ましい。
【００２２】
図１に示すように、上記樹脂発泡シート４は、板材５ａの長手方向と直交する方向に延びる定められた幅の帯状に形成されており、且つ、ベースボード２とフローリング５との間に、樹脂発泡シート４の幅方向において互いの間に隙間をもたせた状態で複数設けられている。この隙間には、同隙間に存在する接着剤によってベースボード２とフローリング５（板材５ａ）とを接着する接着部１０が設けられている。そして、ベースボード２とフローリング５との間の上記接着部１０によって両者を接着することにより、樹脂発泡シート４がベースボード２とフローリング５との間で固定されている。
【００２３】
なお、樹脂発泡シート４の幅、及び、上記隙間（接着部１０）の幅は、フローリング５を形成する複数の板材５ａに対しそれぞれ、その板材５ａの長手方向に間隔をおいた複数箇所で上記接着部１０が接する値となるように設定されている。より詳しくは、上記板材５ａの長さは例えば１８１８ｍｍ前後の値とされており、それに対して樹脂発泡シート４の幅は３００ｍｍとされており、且つ、上記隙間（接着部１０）の幅は５〜１０ｍｍとされている。
【００２４】
次に、建物の二重床構造に対する樹脂発泡シート４の組み込みについて説明する。
図３は、ベースボード２上に樹脂発泡シート４を敷設するための施工装置１１を示している。同施工装置１１は、複数の樹脂発泡シート４をロール状に巻き付けた中心棒１２を備えている。更に、中心棒１２において、ロール状に巻き付けられた樹脂発泡シート４の間に位置する部分には、樹脂発泡シート４同士の間隔を保持するためのパッキン１３がビス等によって固定されている。また、中心棒１２において、その長手方向の最も外側に位置する樹脂発泡シート４の外端に対応する部分には、同樹脂発泡シート４を位置決めするためのパッキン１４がビス等によって固定されている。
【００２５】
施工装置１１は、床スラブ１上に支持脚３によって各ベースボード２を支持した後（図１）、それらベースボード２上に図３に示すように配置される。そして、同装置１１の中心棒１２に対しロール状に巻き付けられた樹脂発泡シート４の端部をベースボード２に固定し、その状態のもとで中心棒１２及びロール状の樹脂発泡シート４を上記固定した部分から離れるように転がす。
【００２６】
その結果、図４に示すように、ベースボード２上に帯状をなす複数の樹脂発泡シート４が互いの間に間隔をおいて敷設される。その後、帯状の樹脂発泡シート４における中心棒１２に巻き付けられた部分を例えば二点鎖線Ｌ１で示すように切断し、樹脂発泡シート４における上記切断によって生じた端部をベースボード２に固定する。そして、ベースボード２上における複数の樹脂発泡シート４の隙間に接着剤を塗布する。
【００２７】
更に、帯状の樹脂発泡シート４に対し直交するように位置調整された板材５ａを複数の上記隙間に押し当てることにより、その板材５ａが上記隙間に塗布された接着剤によってベースボード２に対し接着される。そして、上記板材５ａの隣に別の板材５ａを並べて同様にベースボード２に対し接着してゆくことにより、複数の樹脂発泡シート４の上にフローリング５（図１）が形成される。
【００２８】
なお、フローリング５が形成された状態では、そのフローリング５とベースボード２との上記接着剤によって接着されている部分が接着部１０（図１）となる。そして、この接着部１０でベースボード２とフローリング５とを接着することにより、両者の間の樹脂発泡シート４がベースボード２とフローリング５との間で固定され、建物の二重床構造に対し樹脂発泡シート４が組み込まれる。その結果、上記二重構造が断熱、防音、及び防湿といった多くの機能を持つようになる。
【００２９】
詳しくは、建物の室内側、言い換えれば樹脂発泡シート４よりも上側の熱がベースボード２側に逃げることを、上記樹脂発泡シート４の断熱性を利用して抑制することができる。また、建物の室内側で子供が走り回る足音等の重量音がベースボード２側に漏れることを、上記樹脂発泡シート４の防音性を利用して抑制することができる。更に、建物の室内側の水分がベースボード２側に移動することを、上記樹脂発泡シート４の防湿性を利用して抑制することができる。
【００３０】
次に、本実施形態における建物の二重床構造の作用効果について説明する。
（１）建物の二重床構造において、断熱、防音、及び防湿といった多くの機能を持たせるため、仮に断熱シート、防音材、及び防湿シート等の各機能に対応した部材をそれぞれ組み込もうとすると、それら部材の組み込みに手間がかかって、多機能化された二重床構造の施工性が低下する。しかし、樹脂発泡シート４は断熱性、防音性、及び防湿性といった多くの機能を有しており、その樹脂発泡シート４をベースボード２とフローリング５との間に設けるだけで、建物の二重床構造に断熱、防音、及び防湿といった多くの機能を持たせることができる。従って、多機能化された二重床構造の施工性が低下することを抑制できるようになる。また、樹脂発泡シート４の厚みは薄いため（例えば２〜３ｍｍ）、その樹脂発泡シート４を設けたとしても、室内の床の高さを低く抑えることができ、室内において床に対する天井高さを確保する上で不利となることはない。
【００３１】
（２）ポリエチレン製の樹脂発泡シートは、包装用のシート等として一般的に広く用いられており、比較的安価で入手することが可能なものである。建物の二重床構造において、こうした比較的安価な樹脂発泡シート４が用いられるため、多機能化された二重床構造の施工に伴うコストの上昇を抑制することができる。
【００３２】
（３）ベースボード２とフローリング５との間には両者を接着する接着部１０が設けられており、その接着部１０による両者の接着を通じて樹脂発泡シート４がベースボード２とフローリング５との間で固定されている。このため、樹脂発泡シート４をベースボードとフローリングとの間でしっかりと固定することができる。
【００３３】
（４）上記接着部１０は、複数の帯状の樹脂発泡シート４同士の隙間に設けられており、その隙間と同様に上記樹脂発泡シート４に沿った帯状となる。このため、ベースボード２とフローリング５との接着面を大きくとりやすくなり、ひいてはベースボード２とフローリング５との必要な接着強度を確保しやすくなる。更に、複数の樹脂発泡シート４同士の隙間が、上述したように樹脂発泡シート４に沿った帯状となることにより、その隙間に対し接着剤を塗布しやすくなる。
【００３４】
なお、上記実施形態は、例えば以下のように変更することもできる。
・ベースボード２とフローリング５との間に設ける樹脂発泡シート４は、必ずしも帯状である必要はない。
【００３５】
例えば、図５（ａ）に示すように、ベースボード２とフローリング５との間に一枚の樹脂発泡シート４を設けるようにしてもよい。この場合、樹脂発泡シート４には、図５（ｂ）に示すように、同シート４を厚さ方向に貫通する多数の孔６（図５（ｂ）には一つのみ図示）が等間隔をおいて形成される。ちなみに、孔６の直径は、例えば３０ｍｍ程度とされる。そして、上記樹脂発泡シート４の建物の二重床構造に対する組み込みは、次のように行われる。
【００３６】
すなわち、床スラブ１上に支持脚３によって各ベースボード２を支持した後、それらベースボード２上に樹脂発泡シート４を配置して同シート４の四隅をベースボード２に対し固定する。更に、樹脂発泡シート４における多数の孔６にそれぞれ接着剤７を流し込み、その後にフローリング５を樹脂発泡シート４の上側に貼り付ける。これにより、孔６に流し込まれた接着剤７がフローリング５の下面及びベースボード２の上面に張り付き、同接着剤７によってフローリング５がベースボード２との間に樹脂発泡シート４を挟んだ状態で、同ベースボード２に対し固定される。
【００３７】
このときには、フローリング５とベースボード２との上記接着剤７によって接着されている部分が接着部１０となる。そして、この接着部１０でベースボード２とフローリング５とを接着することにより、樹脂発泡シート４がベースボード２とフローリング５との間で固定され、建物の二重床構造に対し樹脂発泡シート４が組み込まれるようになる。
【００３８】
・図６に示すように、ベースボード２とフローリング５との間に床暖房用のヒーターマット８を設け、そのヒーターマット８とベースボード２との間に樹脂発泡シート４を設けるようにしてもよい。この場合、ベースボード２とフローリング５との間には、ヒーターマット８の他に、同ヒーターマット８の上面を平らにするための捨て張り９が設けられる。この構成によれば、床暖房用のヒーターマット８の熱がベースボード２側に逃げることを、ベースボード２とヒーターマット８との間の樹脂発泡シート４が持つ断熱機能によって抑制することができる。
【００３９】
・樹脂発泡シート４の室内側の面（図１の上側面）にアルミニウム箔等からなる遮熱層を形成し、その遮熱層によって樹脂発泡シート４よりも室内側の熱を反射させるようにしてもよい。
【００４０】
・樹脂発泡シート４を形成する樹脂としては、例えばポリプロピレンやポリスチレンといったポリエチレン以外の樹脂を採用することも可能である。
・ベースボード２としてパーティクルボードを例示したが、それ以外のものを採用してもよい。
【符号の説明】
【００４１】
１…床スラブ、２…ベースボード、３…支持脚、３ａ…平板部、４…樹脂発泡シート、４ａ…気泡、５…フローリング、５ａ…板材、６…孔、７…接着剤、８…ヒーターマット、９…捨て張り、１０…接着部、１１…施工装置、１２…中心棒、１３…パッキン、１４…パッキン。
【図１】
2020148033.tif 000003
【図２】
2020148033.tif 000004
【図３】
2020148033.tif 000005
【図４】
2020148033.tif 000006
【図５】
2020148033.tif 000007
【図６】
2020148033.tif 000008